(57)【要約】  生体情報検出用マットは、長尺状に形成され、生体からの圧力に応じた空気を出力する空気袋と、前記空気袋と略同じ大きさの凹部が中央部に形成され、前記凹部に前記空気袋がはめ込まれ、前記空気袋の厚さと略同じ厚さを有する板状クッション部材と、前記板状クッション部材と略同じ大きさで、全体的に湾曲可能に形成され、前記板状クッション部材を挟むように設けられた一対の合成樹脂板状部材と、を備えている。
2019245055.tif 000002
【特許請求の範囲】
【請求項１】
長尺状に形成され、生体からの圧力に応じた空気を出力する空気袋と、
前記空気袋と略同じ大きさの凹部が中央部に形成され、前記凹部に前記空気袋がはめ込まれ、前記空気袋の厚さと略同じ厚さを有する板状クッション部材と、
前記板状クッション部材と略同じ大きさで、全体的に湾曲可能に形成され、前記板状クッション部材を挟むように設けられた一対の合成樹脂板状部材と、
を備えた生体情報検出用マット。
【請求項２】
前記空気袋は、その内部に、所定の厚さがあるクッション素材を有する
請求項１に記載の生体情報検出用マット。
【請求項３】
対象者の下に配置される請求項１又は請求項２に記載の生体情報検出用マットと、
前記生体情報検出用マットからの空気圧に基づいて、前記対象者の周期的な生体情報を検出する生体情報検出部と、
を備えた生体情報検出装置。
【請求項４】
前記生体情報検出用マットは、前記生体から伝えられる動きに応じた空気を出力する
請求項３に記載の生体情報検出装置。
【請求項５】
前記生体情報検出部は、前記生体情報として、前記対象者の呼吸数又は心拍数を検出する
請求項４に記載の生体情報検出装置。
【請求項６】
前記生体情報検出手段により検出された生体情報を情報端末装置へ送信する送信部を更に備えた
請求項５に記載の生体情報検出装置。
【請求項７】
前記情報端末装置は、前記送信部から送信された生体情報に基づく情報を出力する出力部を有する
請求項６に記載の生体情報検出装置。
【請求項８】
請求項７に記載の生体情報検出装置と、
通信可能な情報端末装置と、
前記生体情報検出装置から送信された生体情報を受信し、前記生体情報、及び前記生体情報に基づく前記検出対象者の状態の少なくとも一方の情報を、前記情報端末装置へ送信するサーバ装置と、
を備えた生体情報通信システム。
【発明の詳細な説明】
【技術分野】
【０００１】
本発明は、生体情報検出用マット、生体情報検出装置及び生体情報通信システムに関する。
【背景技術】
【０００２】
従来、人体に電極やリード線等を取り付けることなく人体の生体情報を収集する生体情報収集装置が開示されている（特許文献１参照）。特許文献１の技術は、板形状部材の上のどの位置に人体が乗った状態においても、空気袋の中の空気圧を無指向性マイクロホン又は圧力センサにより検出することにより、呼吸、心拍数などを計測することができる。
【先行技術文献】
【特許文献】
【０００３】
【特許文献１】特許第３４１９７３２号公報
【発明の概要】
【発明が解決しようとする課題】
【０００４】
特許文献１の技術では、人体が乗ることができる十分な広さを有する板形状部材が必要である。しかし、人体が乗ることができるサイズの板形状部材を用意するのは簡単ではなく、持ち運びも不便である。【０００５】
一方、板形状部材のサイズを小さくすると、板形状部材と人体との間にマットレス等の敷物が介在している場合には、人体の生体情報を精度よく検出できない問題がある。【０００６】
本発明は、このような実情を鑑みて提案されたものであり、対象者の周期的な生体情報を高精度に検出することができる生体情報検出用マット、生体情報検出装置及び生体情報通信システムを提供することを目的とする。
【課題を解決するための手段】
【０００７】
本発明に係る生体情報検出用マットは、長尺状に形成され、生体からの圧力に応じた空気を出力する空気袋と、前記空気袋と略同じ大きさの凹部が中央部に形成され、前記凹部に前記空気袋がはめ込まれ、前記空気袋の厚さと略同じ厚さを有する板状クッション部材と、前記板状クッション部材と略同じ大きさで、全体的に湾曲可能に形成され、前記板状クッション部材を挟むように設けられた一対の合成樹脂板状部材と、を備えている。【０００８】
本発明に係る生体情報検出装置は、対象者の下に配置される前記生体情報検出用マットと、前記生体情報検出用マットからの空気圧に基づいて、前記対象者の周期的な生体情報を検出する生体情報検出部と、を備えている。
【発明の効果】
【０００９】
本発明は、対象者の周期的な生体情報を高精度に検出することができる。
【図面の簡単な説明】
【００１０】
【図１】第１実施形態に係る生体情報検出装置の模式的な構成を示す正面図である。
【図２】生体情報検出装置のセンサマットの構成を示す図である。
【図３】センサボードの構成を示す分解斜視図である。
【図４】本体部の機能的な構成を示すブロック図である。
【図５】測定対象の重量が２ｋｇの場合において、敷物の下にエアパッド単体を配置したときの呼吸信号の波形図である。
【図６】測定対象の重量が２ｋｇの場合において、敷物の下にセンサマットを配置したときの呼吸信号の波形図である。
【図７】測定対象の重量が６ｋｇの場合において、敷物の下にエアパッド単体を配置したときの呼吸信号の波形図である。
【図８】測定対象の重量が６ｋｇの場合において、敷物の下にセンサマットを配置したときの呼吸信号の波形図である。
【図９】敷物の下にエアパッド単体を配置した場合の心拍信号の波形図である。
【図１０】敷物の下にセンサマットを配置した場合の心拍信号の波形図である。
【図１１】第２実施形態に係る生体情報通信システムの構成を示す図である。
【図１２】センサマットカバーを示す正面図である。
【図１３】センサマットカバーを示す斜視図である。
【発明を実施するための形態】
【００１１】
以下、本発明の実施形態について図面を参照しながら詳細に説明する。
［第１実施形態］
図１は、第１実施形態に係る生体情報検出装置１の模式的な構成を示す正面図である。生体情報検出装置１は、生体情報の検出対象者（以下「対象者」という。）から心拍数や呼吸数などの生体情報を検出して、外部機器とデータ通信を行う。本実施形態では、生体情報検出装置１は、例えば睡眠中の対象者１００（乳児・幼児など）の１分間当たりの呼吸数を検出する。
【００１２】
生体情報検出装置１は、睡眠中の対象者１００の下に配置されるセンサマット１０と、センサマット１０から出力される空気圧に基づいて対象者１００の呼吸数を演算する本体部５０と、センサマット１０から出力された空気を本体部５０に供給するシリコンチューブ７０と、を備えている。なお、図示されていないが、対象者１００とセンサマット１０との間には、マットレス等の敷物が置かれる。
【００１３】
図２は、センサマット１０の構成を示す図である。
センサマット１０は、センサマットカバー２０と、センサマットカバー２０に収納される２つのセンサボード３０と、を備えている。なお、シリコンチューブ７０の端部（センサマット１０側）には、Ｙ字状の管であるＹ字コネクタ７１が接合されている。
【００１４】
一方、各センサボード３０の空気口は、それぞれシリコンチューブ７２を介して、Ｙ字コネクタ７１の残り２箇所の接合部に接合されている。このため、各センサボード３０から排出される空気は、各シリコンチューブ７２を介してＹ字コネクタで合流して、シリコンチューブ７０を経由して図１に示す本体部５０へ供給される。
【００１５】
センサマットカバー２０は、長方形状に構成されたカバーであり、２つのセンサボード３０がそれぞれ収納される２つの袋部２１と、センサボード３０が袋部２１の外部にでないように機能する蓋部２２と、を備えている。
【００１６】
各袋部２１は、１つのセンサボード３０を完全に収納できる程度の形状及び大きさに構成されている。そして、各袋部２１は、センサマットカバー２０の長手方向の中心部で直交する中心軸に対して対称になるように配置されている。このため、センサマットカバー２０は、各袋部２１にセンサボード３０が収納された状態において、上述の中心軸で２つに折りたたみ可能になっている。
【００１７】
センサボード３０は、対象者１００のいる敷物の下に配置される。センサボード３０は、対象者１００の呼吸運動や脈動などの動きに応じた空気を出力して、シリコンチューブ７０等を経由して本体部５０に供給する
【００１８】
図３は、センサボード３０の構成を示す分解斜視図である。センサボード３０は、略正方形状の板状部材であり、対象者１００の呼吸運動や脈動などの動き（圧力）に応じた空気を出力する。センサボード３０は、第１のポリ塩化ビニル板３１と、第２のポリ塩化ビニル板３２と、クッション部材３３と、エアパッド３４と、を備える。
【００１９】
第１及び第２のポリ塩化ビニル板３１，３２は、例えば略正方形の板状に形成されたポリ塩化ビニルである。第１及び第２のポリ塩化ビニル板３１，３２は、硬質な面を有しており、全体的に湾曲可能に形成されている。第１及び第２のポリ塩化ビニル板３１，３２の厚さは、例えば１ｍｍである。第１及び第２のポリ塩化ビニル板３１，３２の角は、例えば５ｍｍのアール加工が施されている。
【００２０】
なお、第１及び第２のポリ塩化ビニル板３１，３２の代わりに、アクリル板又はベニア板を用いることも考えられる。しかし、ベニア板は、湾曲可能ではないので、第１及び第２のポリ塩化ビニル板３１，３２の代用には不向きである。一方、アクリル板は、湾曲可能な厚さに形成されていれば、第１及び第２のポリ塩化ビニル板３１，３２の代用となり得る。つまり、第１及び第２のポリ塩化ビニル板３１，３２の代用として、全体的に湾曲可能に形成された合成樹脂素材の板状部材であればよい。このような合成樹脂素材としては、上述したものの他に、例えばポリプロピレン（ＰＰ）、ポリエチレンテレフタレート（ＰＥT）などが該当する。
【００２１】
クッション部材３３は、例えば５ｍｍの厚さを有するポリウレタン素材で形成されたものである。クッション部材３３は、第１及び第２のポリ塩化ビニル板３１，３２と略同じ大きさの正方形の板状に形成されている。
【００２２】
クッション部材３３の対称軸に沿った中央部には、エアパッド３４がすっぽり入る程の大きさの凹部３３ａが形成されている。エアパッド３４がクッション部材３３の凹部３３ａにはめ込まれると、エアパッド３４の表面はクッション部材３３の表面とほぼ同じ位置になる。
【００２３】
エアパッド３４は、長尺状に形成された空気袋である。エアパッド３４の空気口には、所定の長さの空気管３４ａが設けられている。空気管３４ａの一方側は、エアパッド３４の内部にある。空気管３４ａの他方側は、エアパッド３４の外部に露出して、シリコンチューブ７２に接合されている。
【００２４】
また、エアパッド３４の内部には、ポリウレタン素材のクッション部材が入っている。このため、エアパッド３４は、通常（外圧がない状態）においても、所定の厚さ（本実施形態では１０ｍｍ）があり、内部に空気を有している。エアパッド３４に対象者１００からの外圧が加えられると、その外圧に応じてエアパッド３４から空気が出力される。エアパッド３４から出力された空気は、シリコンチューブ７０を介して、本体部５０に供給される。
【００２５】
図４は、本体部５０の機能的な構成を示すブロック図である。
本体部５０は、圧電素子５１と、フィルタ回路５２と、最大値検出器５３と、カウンタ５４と、生体情報検出部５５と、送信部５６と、を備えている。
【００２６】
圧電素子５１は、シリコンチューブ７０から供給される空気の振動に応じた信号を出力する。フィルタ回路５２は、圧電素子５１から供給される信号のうち所定帯域成分を除去する。なお、フィルタ回路５２のフィルタ特性は、圧電素子５１から出力される信号から人体の呼吸成分を抽出するのに適した特性に設定されている。このため、フィルタ回路５２は、ノイズ成分を除去して、呼吸信号を出力する。なお、検出したい生体情報に応じて、フィルタ回路５２の周波数特性を変更することが可能である。例えば、フィルタ回路５２がハイパスフィルタ（例えば３Ｈｚ以下の帯域成分を除去）の場合、呼吸信号の代わりに、他の生体情報の信号、例えば、心拍信号が得られる。
【００２７】
最大値検出器５３は、フィルタ回路５２から供給される呼吸信号の最大値（ピーク値）を検出する毎に正極性パルスを出力する。カウンタ５４は、タイマ機能を有しており、最大値検出器５３から供給される正極性パルスをカウントすると共に、所定時間（例えば１０秒間）毎にリセットする。そして、カウンタ５４は、リセットする毎にその時点のカウント値を生体情報検出部５５へ供給する。
【００２８】
生体情報検出部５５は、カウンタ５４から供給される呼吸数を６倍した値を演算し、その演算値を１分間当たりの呼吸数として送信部５６へ供給する。送信部５６は、生体情報検出部５５から供給された呼吸数をオペレータの情報端末装置へ送信する。これにより、オペレータは、対象者１００の呼吸数をリアルタイムで確認することができる。
【００２９】
なお、情報端末装置は、対象者１００の呼吸数が連続して所定時間以上閾値を下回った場合に、警報を発してもよい。これにより、オペレータは、対象者１００の呼吸数が検出されなくなった状態をすぐに把握することができる。
【００３０】
以上のように、本実施形態に係る生体情報検出装置１は、センサマット１０の上にいる対象者１００についてリアルタイムで呼吸数を検出して、その呼吸数をオペレータの情報端末装置へ送信する。これにより、オペレータは、対象者１００の呼吸数をリアルタイムで把握することができる。
【００３１】
また、生体情報検出装置１は、対象者１００がマットレス等の敷物の上にいる場合であっても、その敷物の下に図３に示すセンサマット１０を配置することにより、対象者１００の呼吸数を精度よく検出することができる。
【００３２】
［比較測定１］
敷物の下にエアパッド単体を配置した場合の呼吸信号（フィルタ回路５２の出力信号）と、敷物の下に図３に示すセンサマット１０を配置した場合の呼吸信号と、をそれぞれ測定した。測定条件は次の通りである。
【００３３】
・エアパット単体、センサマット１０はそれぞれ個別に測定する。
・エアパッド単体は、センサマット１０内のエアパッド３４と同じ個体とする。
・センサマット１０の第１及び第２のポリ塩化ビニル板３１，３２のサイズは４０ｃｍ×４０ｃｍ、厚さ１ｍｍとする。
・センサマット１０のクッション部材３３（ポリウレタン素材）の厚さは５ｍｍとする。
【００３４】
・エアパット単体、センサマット１０の上にそれぞれ厚さ２．５ｃｍの敷物を載せる。
・敷物の上でエアパットの中心から２０ｃｍの位置に呼吸シミュレータを設置する。
・呼吸シミュレータの平均呼吸数は３０［回／分］とする。
・測定対象の重量として２ｋｇと６ｋｇの２種類を使用する。
【００３５】
図５は、測定対象の重量が２ｋｇの場合において、敷物の下にエアパッド単体を配置したときの呼吸信号（フィルタ回路５２の出力信号）の波形図である。図６は、測定対象の重量が２ｋｇの場合において、敷物の下に図３に示すセンサマット１０を配置したときの呼吸信号の波形図である。
【００３６】
図７は、測定対象の重量が６ｋｇの場合において、敷物の下にエアパッド単体を配置したときの呼吸信号の波形図である。図８は、測定対象の重量が６ｋｇの場合において、敷物の下に図３に示すセンサマット１０を配置したときの呼吸信号の波形図である。図５から図８において、縦軸方向は信号の大きさ、横軸方向は時間を表す。
【００３７】
図５から図８によると、測定対象の重量が２ｋｇと６ｋｇの両方のケースにおいて、エアパット単体から得られた呼吸信号よりも、センサマット１０から得られた呼吸信号の方が、振幅が大きくなった。すなわち、エアパッド単体よりもセンサマット１０の方が、呼吸の検出感度が高かった。
【００３８】
以上のように、本発明の実施形態に係る生体情報検出装置１は、図３に示す構成のセンサマット１０を使用することにより、対象者１００の全長をカバーできるサイズの板形状部材を用いることなく、対象者１００の呼吸数を検出することができる。
【００３９】
また、生体情報検出装置１は、対象者１００とセンサマット１０との間にマットレス等の敷物が介在している場合であっても、対象者１００の呼吸数を高精度に検出することができる。
【００４０】
本発明は、上述した実施形態に限定されるものではなく、特許請求の範囲に記載された事項の範囲内で設計変更されたものにも適用可能である。例えば、第１及び第２のポリ塩化ビニル板３１，３２、及びクッション部材３３のサイズ及び厚さは、上述した例に限定されるものではない。
【００４１】
また、図４に示すカウンタ５４は、１０秒毎にカウント値をリセットしたが、その他の周期でカウント値をリセットしてもよい。具体的には、カウンタ５４は、２０秒毎又は３０秒毎にカウント値をリセットしてもよい。この場合、生体情報検出部５５は、カウンタ５４からのカウント値を３倍又は２倍にして、１分間の呼吸数を求めればよい。
【００４２】
さらに、生体情報検出装置１は、対象者１００の呼吸数を検出するだけでなく、対象者１００の心拍数を検出することも可能である。この場合、フィルタ回路５２のフィルタ特性は、圧電素子５１から出力される信号から人体の心拍成分を抽出するのに適した特性に設定される。
【００４３】
［比較測定２］
敷物の下にエアパッド単体を配置した場合の心拍（脈動）信号（フィルタ回路５２の出力信号）と、敷物の下に図３に示すセンサマット１０を配置した場合の心拍信号と、をそれぞれ測定した。測定条件は次の通りである。
【００４４】
・エアパット単体、センサマット１０はそれぞれ個別に測定する。
・エアパッド単体は、センサマット１０内のエアパッド３４と同じ個体とする。
・センサマット１０の第１及び第２のポリ塩化ビニル板３１，３２のサイズは４０ｃｍ×４０ｃｍ、厚さ１ｍｍとする。
・センサマット１０のクッション部材３３（ポリウレタン素材）の厚さは５ｍｍとする。
・エアパット単体、センサマット１０の上にそれぞれ厚さ２．５ｃｍの敷物を載せる。
【００４５】
・敷物の上でエアパットの中心から２０ｃｍの位置に擬似心拍信号発生装置を設置する。なお、擬似心拍信号発生装置は、ファンクションジェネレータにアンプとスピーカーを接続してスピーカーを任意の周期で振動させる装置であり、心拍周期を設定することで疑似的な心拍性体動を発生する。
・擬似心拍信号発生装置の平均心拍数は８４［回／分］とする。
・測定対象の重量は５８０ｇ（１種類）を使用する。（擬似心拍信号発生装置の制限により重量を変更することが困難であるため）
【００４６】
図９は、敷物の下にエアパッド単体を配置した場合の心拍信号（フィルタ回路５２の出力信号）の波形図である。図１０は、敷物の下に図３に示すセンサマット１０を配置した場合の心拍信号の波形図である。図９及び図１０において、縦軸方向は信号の大きさ、横軸方向は時間を表す。
【００４７】
図９及び図１０によると、エアパット単体から得られた心拍信号よりも、センサマット１０から得られた心拍信号の方が、振幅が大きくなった。すなわち、エアパッド単体よりもセンサマット１０の方が、心拍の検出感度が高かった。
【００４８】
以上のように、本発明の実施形態に係る生体情報検出装置１は、対象者１００の全長の半分以下のサイズのセンサマット１０を使用することにより、対象者１００の全長をカバーするサイズの板形状部材を用いることなく、対象者１００の心拍数を検出することができる。
【００４９】
生体情報検出装置１は、対象者１００とセンサマット１０との間にマットレス等の敷物が介在している場合であっても、対象者１００の心拍数を高精度に検出することができる。また、生体情報検出装置１は、呼吸数と心拍数を同時に検出することもできる。この場合、生体情報検出装置１は、呼吸数を検出するための図４に示す各ブロックと、心拍数を検出するための図４に示す各ブロックと、を備えればよい。
【００５０】
［第２実施形態］
図１１は、第２実施形態に係る生体情報通信システム２００の構成を示す図である。
生体情報通信システム２００は、図１に示す生体情報検出装置１と、データ通信が可能な情報端末装置２２０と、生体情報を管理して人体に関する情報を情報端末装置２２０へ配信する生体情報管理サーバ２３０と、を備えている。
【００５１】
図１では、生体情報検出装置１及び情報端末装置２２０がそれぞれ３つ、生体情報管理サーバ２３０が１つ図示されている。但し、生体情報検出装置１及び情報端末装置２２０の数は、特に限定されるものではなく、生体情報を検出すべき対象者の数に応じて設けられている。また、生体情報管理サーバ２３０は、１つであってもよいし、負荷分散のために複数設けられてもよい。
【００５２】
生体情報検出装置１は、寝ている状態の対象者から、心拍・呼吸数などの生体情報を検出する。さらに、生体情報検出装置１は、環境情報として、温度、湿度、部屋の明るさ、騒音、臭い、気圧等も検出する。生体情報検出装置１は、検出した生体情報や環境情報を内部のメモリに自動的に記録すると共に、リアルタイム又は所定のタイミングで、インターネットを介して、図１に示す生体情報管理サーバ２３０に送信する。
【００５３】
また、生体情報検出装置１は、予め対象者の個人情報（年齢、性別、居住地域（位置情報）、要介護レベル等）を記憶しておき、この個人情報を生体情報管理サーバ２３０に送信する。なお、生体情報検出装置１は、無線通信又は赤外線通信などによって、生体情報検出サーバ３０を経由することなく、直接情報端末装置２２０と直接データ通信することも可能である。
【００５４】
情報端末装置２２０は、有線又は無線によりインターネット回線に接続可能な端末である。情報端末装置２２０は、例えば、いわゆるスマートフォン、タブレット端末、携帯電話、小型パーソナルコンピュータなどが該当する。情報端末装置２２０は、医者、看護婦、介護者、対象者の親族等の対象者の状態を確認したい者に所有される。
【００５５】
情報端末装置２２０は、生体情報管理サーバ２３０から送信された生体情報、警告情報（例えば、対象者１００の呼吸数が連続して所定時間以上閾値を下回った旨の警告情報、離床した旨の警告情報）、その他の情報を表示する。これにより、ユーザは、対象者から離れた場所にいる場合でも、対象者の生体情報・その他の情報を確認したり、対象者の心拍数・離床の有無を把握したりすることができる。さらに、情報端末装置２２０は、生体情報管理サーバ２３０を経由して、生体情報検出装置１とテキスト文書、画像、音声の各情報を送受信することも可能である。
【００５６】
なお、情報端末装置２２０は、生体情報管理サーバ２３０を経由することなく、生体情報検出装置１と直接通信することもできる。この場合、情報端末装置２２０は、生体情報検出装置１からの生体情報に基づいて、上述した警告情報をユーザに提示する。
【００５７】
生体情報管理サーバ２３０は、生体情報検出装置１から送信された生体情報を、予め決められた情報端末装置２２０へ送信する。また、生体情報管理サーバ２３０は、生体情報検出装置１から送信された生体情報に基づいて、対象者の呼吸数が正常か、離床したか否かを判定することもできる。
【００５８】
例えば、生体情報管理サーバ２３０は、生体情報検出装置１から送信された生体情報が所定時間（例えば２０秒間）途切れると、対象者が離床したと判定し、離床したことを示す警告情報を情報端末装置２２０へ送信する。また、生体情報管理サーバ２３０は、生体情報検出装置１から送信された心拍数が所定時間（例えば２分間）連続して、３０以下になった場合又は１７０以上になった場合に、異常であることを示す警告情報を情報端末装置２２０へ送信してもよい。
【００５９】
さらに、生体情報管理サーバ２３０は、ネットワーク上に接続されている全対象者から生体情報及び個人情報を集計して、対象者の居住地域、季節、要介護レベル、環境情報にそれぞれ応じた統計データ（ビックデータ）を作成することもできる。この統計データによれば、任意の条件を満たすそれぞれの対象者（例えば、６０代男性、居住地域：北海道、要介護レベル３など）について、環境情報がどのような状態であれば、生体情報が安定するかが把握可能になる。
【００６０】
この場合、生体情報管理サーバ２３０は、任意の生体情報検出装置１からの生体情報及び環境情報を受信すると、受信した情報と統計データとを比較する。そして、生体情報管理サーバ２３０は、対象者の生体情報の異常（心拍、呼吸数の大きな変化など）を検出した場合には、統計データに基づいて、生体情報が安定しているときの環境に促すための警告情報を生体情報検出装置１及び情報端末装置２２０に送信する。これにより、生体情報検出装置１や情報端末装置２２０のユーザは、警告情報を確認して、対象者の環境（室温、湿度など）を最適な状態に調整することができる。
【００６１】
なお、本発明は、上述した実施の形態に限定されるものではなく、特許請求の範囲に記載された事項の範囲内で設計変更されたものにも適用可能である。本発明は、例えば、介護サービス付きのスマートハウスにも適用可能である。
【００６２】
このスマートハウス内（屋内）のＬＥＤ照明装置には、空間／人感センサ、赤外線センサが組み込まれている。このような構成の複数のＬＥＤ照明装置が、ネットワークにそれぞれつながった状態で、屋内の各場所（廊下、風呂、トイレ、寝室など）に設けられ、患者の屋内の位置情報を検出する。
【００６３】
なお、ＬＥＤ照明装置は、患者の腕に付けられる腕時計タイプの通信機器と通信してもよい。この通信機器は、患者の腕に付けられた状態で、例えばＢｌｕｅｔｏｏｔｈ（登録商標）により、ＬＥＤ照明装置と通信する。ＬＥＤ照明装置は、上記の通信機器と通信することで、患者の屋内の位置情報を検出する。位置情報は、インターネットを介して図１０に示す生体情報管理サーバ２３０に送信された後、例えばユーザの情報端末装置２２０に送信される。
【００６４】
この結果、情報端末装置２２０は、ＬＥＤ照明装置から送信された患者の位置情報に基づき、常時、患者の位置情報を出力する。これにより、ユーザは、寝室での患者の健康状態だけでなく、患者の屋内の居場所、患者が屋外へ出たか（徘徊したか）も把握することが可能になる。
【００６５】
生体情報管理サーバ２３０は、情報端末装置２２０がスマートハウス内の冷暖房装置、加湿器、除湿器（以下「冷暖房装置等」という。）を制御できる場合、次の制御を行うこともできる。例えば、生体情報管理サーバ２３０は、統計データに基づいて生体情報が安定しているときの環境になるように、情報端末装置２２０を介して、冷暖房装置等を直接制御する。これにより、生体情報管理サーバ２３０は、対象者の環境が自動的に最適な状態になるように、スマートハウス内の冷暖房装置等を遠隔操作することができる。
【００６６】
また、図２に示したセンサマットカバー２０の代わりに、次のセンサマットカバーも使用可能である。図１２は、センサマットカバー２０Ａを示す正面図である。図１３は、センサマットカバー２０Ａを示す斜視図である。
【００６７】
センサマットカバー２０Ａは、長方形状に構成されたカバーであり、２つのセンサボード３０がそれぞれ収納される２つの袋部２１と、袋部２１の開口部を開閉するためのファスナー２５と、袋部２１とファスナー２５との間の空間であってチューブを収納して保護するためのチューブ保護袋２６と、センサマットカバー２０Ａの長手方向の両側にそれぞれ設けられた取手２７と、を備えている。なお、図示されていないが、袋部２１とチューブ保護袋２６との間には、センサボード３０を固定するためのセンサ用ファスナーが設けられている。
【００６８】
各袋部２１は、１つのセンサボード３０を完全に収納できる程度の形状及び大きさに構成されている。そして、各袋部２１は、センサマットカバー２０の長手方向の中心部にある中心軸に対して対称になるように配置されている。このため、センサマットカバー２０は、各袋部２１にセンサボード３０が収納された状態において、上述の中心軸で２つに折りたたみ可能になっている。
【００６９】
各袋部２１には、センサボード３０と共に、当該センサボード３０の一方の面（表面）上に配置されたスポンジ８０が収納される。そして、センサ用ファスナーが閉じられると、各袋部２１の内部でセンサボード３０とスポンジ８０の位置が固定される。
【００７０】
以上のように構成された生体情報検出装置１は、成人だけでなく、一般には検出するのが難しい体重（３〜１０ｋｇ）の乳幼児であっても、呼吸数等の生体情報を高精度に検出することができる。
【００７１】
また、生体情報検出装置１は、エアパッド３４（図３参照）のサイズを変更しなくても、センサボード３０（第１及び第２のポリ塩化ビニル板３１，３２）のサイズを拡大すれば、そのサイズに比例して対象者の生体情報の検出可能範囲を拡大することができる。
さらに、センサボード３０は、内部にスポンジ８０を有しているので、マットレス単体として使用可能であり、また、マットや布団の下に敷かれた場合でも使用可能である。
【符号の説明】
【００７２】
１  生体情報検出装置
１０  センサマット
２０，２０Ａ  センサマットカバー
３０  センサボード
３１  第１のポリ塩化ビニル板
３２  第２のポリ塩化ビニル板
３３  クッション部材
３４  エアパッド
５０  本体部
５５  生体情報検出部
５６  送信部
２００  生体情報通信システム
２２０  情報端末装置
２３０  生体情報管理サーバ
【図１】
2019245055.tif 000003
【図２】
2019245055.tif 000004
【図３】
2019245055.tif 000005
【図４】
2019245055.tif 000006
【図５】
2019245055.tif 000007
【図６】
2019245055.tif 000008
【図７】
2019245055.tif 000009
【図８】
2019245055.tif 000010
【図９】
2019245055.tif 000011
【図１０】
2019245055.tif 000012
【図１１】
2019245055.tif 000013
【図１２】
2019245055.tif 000014
【図１３】
2019245055.tif 000015
【国際調査報告】
2019245055.tif 000016
2019245055.tif 000017
2019245055.tif 000018
2019245055.tif 000019